(57)【要約】【課題】簡素な防水構造を有し、衝撃に強い携帯電子機器を提供する。【解決手段】携帯電話機の表示ユニット１２は、金属板２１が樹脂部２２にインサート成形された表示筐体２０と、金属板２１上の＋Ｚ側に固定され、表示画面を有する表示モジュール３２と、防水性の両面テープ３１を介して、表示筐体２０に水密に取り付けられることにより、表示モジュール３２を覆うフロントパネル３０と、金属板２１上の−Ｚ側に固定された回路基板３３と、防水性の両面テープ３４を介して、表示筐体２０に水密に取り付けられることにより、回路基板３３を覆うリアパネル３５と、を有する。【選択図】図４
2012095152.tif 000002
【特許請求の範囲】
【請求項１】
第１筐体と、
前記第１筐体上の一の面側に固定され、電子部品を備える電子モジュールと、
防水性の接着部材を介して、前記第１筐体に水密に取り付けられることにより、前記電子モジュールを覆う第１カバーと、
前記第１筐体上の他の面側に固定され、回路基板を含む基板モジュールと、
防水性の接着部材を介して、前記第１筐体に水密に取り付けられることにより、前記基板モジュールを覆う第２カバーと、
を有することを特徴とする携帯電子機器。
【請求項２】
前記第１筐体の前記一の面には、第１凹部が形成されるとともに、前記第１筐体の前記他の面には、第２凹部が形成され、
前記電子モジュールは、前記第１凹部に収納されるとともに、前記基板モジュールは、前記第２凹部に収納されることを特徴とする請求項１に記載の携帯電子機器。
【請求項３】
前記第１筐体は、金属板と、前記金属板の縁に沿って被覆し、略枠形状に形成された樹脂部と、を有し、
前記第１凹部及び前記第２凹部は、前記樹脂の略枠形状の内周面と、前記金属板の表面と、によって規定され、
前記電子モジュール及び前記基板モジュールは、前記金属板の表面上に固定されることを特徴とする請求項２に記載の携帯電子機器。
【請求項４】
前記金属板の一の面に形成された前記樹脂部の樹脂量は、前記金属板の他の面に形成された樹脂量と同等であることを特徴とする請求項３に記載の携帯電子機器。
【請求項５】
前記第１筐体の一の面には、前記接着部材を貼り付けるための第１貼付面が、前記第１凹部の縁に沿って形成され、
前記第１筐体の他の面には、前記接着部材を貼り付けるための第２貼付面が、前記第２凹部の縁に沿って形成されていることを特徴とする請求項３又は４に記載の携帯電子機器。
【請求項６】
前記電子モジュールは、ユーザに情報を表示するための表示部を有することを特徴とする請求項１乃至５のいずれか一項に記載の携帯電子機器。
【請求項７】
ユーザが情報を入力するための操作部を有する操作モジュールを収納する第２筐体と、
前記第１筐体と前記第２筐体とを回動可能に接続するヒンジユニットと、
前記ヒンジユニットを前記第１筐体に固定する締結ねじと、
をさらに有し、
前記締結ねじのねじ込み方向は、前記第１筐体の厚み方向と直交する方向に、前記第１筐体に対してねじ込むことを特徴とする請求項１乃至６のいずれか一項に記載の携帯電子機器。
【請求項８】
前記第１筐体には、前記第１筐体にねじ込まれた前記締結ねじのねじ頭を収納する凹部が形成されていることを特徴とする請求項７に記載の携帯電子機器。
【発明の詳細な説明】
【技術分野】
【０００１】
本発明は、携帯電子機器に関し、更に詳しくは、防水機能を備える携帯電子機器に関する。
【背景技術】
【０００２】
携帯電子機器は、その携帯性から様々な環境で使用される。種々の使用環境に対応するため、携帯電子機器は、防水機能を備えることが望まれる。例えば、下記特許文献には、防水機能を備える携帯電子機器が開示されている。
【先行技術文献】
【特許文献】
【０００３】
【特許文献１】特開２００９−１８７８９３号公報
【特許文献２】特開２００９−２３９６７０号公報
【発明の概要】
【発明が解決しようとする課題】
【０００４】
上記特許文献１に記載の携帯電子機器は、構成部品同士の隙間を、防水パッキンにより塞いでいる。しかしながら、この場合、防水パッキンを嵌め込むための溝の寸法等、構成部品の寸法に高い精度が求められる。また、ねじやフック等の部材を用いて、構成部品同士を締め付けて、防水パッキンを圧縮する必要もある。この結果、コストが高くなるとともに、歩留まりが悪くなるおそれがある。また、構造が複雑になることから、携帯電子機器を小型化、薄型化することが難しく、近年の携帯電子機器の小型化、薄型化の趨勢に反してしまう。
【０００５】
上記特許文献２に記載の携帯電子機器は、構成部品同士の隙間を、防止パッキンではなく、両面テープによって塞ぐことにより、防水構造を簡素にしている。しかしながら、この携帯電子機器は、筐体の内部に回路基板が収納され、さらに、この回路基板上に表示モジュールが配置される構造となっている。この回路基板には、多くの電子部品が実装されていることから、表示モジュールは、電子部品との干渉を避けるように固定される。これにより、表示モジュールの固定が十分ではなく、不安定な状態となってしまう。そのため、ユーザが誤って落とすなどして、この携帯電子機器に衝撃が加わった場合、表示モジュールが筐体から容易に外れてしまい、ひいては、表示モジュールが破損するおそれがある。
【０００６】
本発明は、上述の事情の下になされたもので、簡素な防水構造を有し、衝撃に強い携帯電子機器を提供することを目的とする。
【課題を解決するための手段】
【０００７】
上述の目的を達成するために、本発明に係る携帯電子機器は、
第１筐体と、
前記第１筐体上の一の面側に固定され、電子部品を備える電子モジュールと、
防水性の接着部材を介して、前記第１筐体に水密に取り付けられることにより、前記電子モジュールを覆う第１カバーと、
前記第１筐体上の他の面側に固定され、回路基板を含む基板モジュールと、
防水性の接着部材を介して、前記第１筐体に水密に取り付けられることにより、前記基板モジュールを覆う第２カバーと、
を有することを特徴とする。
【発明の効果】
【０００８】
本発明によれば、接着部材により防水性を確保するとともに、例えば、表示モジュールなどの電子モジュールは、第１筐体に直接固定されている。このため、簡素な防水構造のまま、耐衝撃性を向上させることができる。
【図面の簡単な説明】
【０００９】
【図１】本発明に係る携帯電話機を示す斜視図である。
【図２】表示ユニットの分解斜視図である。
【図３】表示筐体の断面図である。
【図４】図１における表示ユニットのＡ−Ａ断面図である。
【図５】（Ａ）は、図１における表示ユニットのＢ−Ｂ断面図であり、（Ｂ）は、図１における表示ユニットのＣ−Ｃ断面図である。
【図６】ヒンジユニットの正面図である。
【図７】（Ａ）は、表示ユニットの回動を説明するための斜視図（その１）であり、（Ｂ）は、表示ユニットの回動を説明するための斜視図（その２）である。
【発明を実施するための形態】
【００１０】
以下、本発明の実施形態に係る携帯電話機１０について、図面を参照しつつ説明する。なお、理解を容易にするため、Ｘ軸を携帯電話機１０の側面方向、Ｙ軸を携帯電話機１０の鉛直方向、Ｚ軸を携帯電話機１０の正面方向とするＸＹＺ座標を設定し、適宜参照する。
【００１１】
携帯電話機１０は、携帯時等には閉じた状態とし、通話時等には、図１に示すように、展開した状態とすることが可能な折り畳み式携帯電話機である。携帯電話機１０は、操作ユニット１１と、表示ユニット１２と、ヒンジユニット１３と、を有しており、表示ユニット１２は、ヒンジユニット１３を介して、操作ユニット１１に回動可能に接続されている。
【００１２】
操作ユニット１１は、直方体板状の操作筐体１１ａを有しており、この操作筐体１１ａには、テンキー、方向キー／決定キー、及びファンクションキー等からなる操作キー１４が配設されている。ユーザによる情報の入力は、この操作キー１４を通じて行われる。
【００１３】
操作筐体１１ａには、操作キー１４からの入力を検知するための電子モジュールや、ユーザの音声を音声信号に変換して出力するためのマイクモジュール等が、収納されている。マイクモジュールは、操作筐体１１ａに形成された孔１６近傍に配置されている。
【００１４】
表示ユニット１２の表面には、表示画面１５が配設されている。この表示画面１５は、画像、図形、文字、記号などの情報を、ユーザに表示する。表示画面１５は、例えば、液晶ディスプレイから構成される。ユーザは、この表示画面１５を、表示ユニット１１の＋Ｚ側から視認することができる。
【００１５】
また、表示ユニット１２は、図２に示すように、表示筐体２０と、フロントパネル３０と、両面テープ３１，３４と、表示モジュール３２と、回路基板３３と、リアパネル３５と、レシーバモジュール３６と、カメラモジュール３７と、を有している。
【００１６】
表示筐体２０は、略直方体状の部材であり、図３に示すように、金属板２１と、金属板２１上に形成された樹脂部２２と、を有する。金属板２１は、例えば、ステンレス鋼からなる。金属板２１の縁には、全周に渡って、湾曲部２１ａが形成されている。この湾曲部２１ａによって、表示筐体２０の強度が確保される。金属板２１は、例えば、ステンレス鋼の板をプレス成形することにより形成される。
【００１７】
樹脂部２２は、金属板２１の湾曲部２１ａを覆って、略枠形状に形成されている。樹脂部２２は、例えば、インサート成形により形成される。樹脂部２２の正面側（＋Ｚ側）の面には、フロントパネル３０を貼り付けるための貼付面２２ａが形成されている。この貼付面２２ａは、後述する凹部２３の縁に沿って、形成されている。
【００１８】
同様に、樹脂部２２の背面側（−Ｚ側）の面には、リアパネル３５を貼り付けるための貼付面２２ｂが形成されている。この貼付面２２ｂは、後述する凹部２４の縁に沿って、形成されている。また、樹脂部２２は、金属板２１の正面側（＋Ｚ側）に形成された樹脂量と背面側（−Ｚ側）に形成された樹脂量とがそれぞれほぼ均等となるように、金属板２１上に形成されている。
【００１９】
表示筐体２０には、金属板２１の正面側の表面と、樹脂部２２の表面と、によって規定される凹部２３が形成されている。この凹部２３には、表示モジュール３２が収納される。
【００２０】
同様に、表示筐体２０には、金属板２１の背面側の表面と、樹脂部２２の表面と、によって規定される凹部２４が形成されている。この凹部２４には、回路基板３３が収納される。
【００２１】
表示筐体２０の上方には、レシーバモジュール３６やカメラモジュール３７を収納するためのモジュール収納部２５が形成されている。モジュール収納部２５は、Ｚ方向に貫通する孔２６によって、表示筐体２０の正面側（＋Ｚ側）に通じている。孔２６の形状は、任意である。本実施形態においては、孔２６は、長円形状に形成されている。また、モジュール収納部２５の上方を覆うように、樹脂部２２には庇部２７が形成されている。この庇部２７の背面側（−Ｚ側）の面は、上述した貼付面２２ｂを構成する。
【００２２】
表示筐体２０の下方には、後述するヒンジユニット１３が嵌め込まれる凹部２８が形成されている。そして、この凹部２８の上方には、複数のナット２９が埋設されている。ナット２９の数は、任意である。本実施形態においては、Ｘ方向に沿って４つ埋設されている。
【００２３】
フロントパネル３０は、図４に示すように、表示モジュール３２を保護する。フロントパネル３０は、アクリル製の透明な素材からなる。フロントパネル３０は、両面テープ３１を介して、樹脂部２２の貼付面２２ａに固定される。
【００２４】
両面テープ３１は、防水性の素材からなる。また、両面テープ３１は、枠形状に形成されている。両面テープ３１は、樹脂部２２の貼付面２２ａに貼り付けられる。
【００２５】
表示モジュール３２は、表示画面１５を有する表示素子と、この表示素子が実装される基板などから構成されている。表示モジュール３２は、表示筐体２０の凹部２３に収納され、金属板２１上に直接固定される。また、表示モジュール３２は、図示しないフレキシブル配線基板等によって、回路基板３３に電気的に接続されている。
【００２６】
回路基板３３は、例えば、エポキシ樹脂からなる。この回路基板３３には、回路パターンが形成され、図示しない電子部品等が実装されている。回路基板３３は、表示筐体２０の凹部２４に収納され、金属板２１上に直接固定される。
【００２７】
リアパネル３５は、回路基板３３やレシーバモジュール３６、カメラモジュール３７等を保護し、略板状に形成されている。リアパネル３５は、例えば、樹脂からなる。リアパネル３５は、両面テープ３４を介して、樹脂部２２の貼付面２２ｂに固定される。
【００２８】
両面テープ３４は、両面テープ３１と同様に、防水性の素材からなる。また、両面テープ３４は、枠形状に形成されている。両面テープ３４は、樹脂部２２の貼付面２２ｂに貼り付けられる。
【００２９】
レシーバモジュール３６は、音声信号に基づく音声を出力する。レシーバモジュール３６は、図５（Ａ）に示すように、庇部２７の下方から挿入されて、モジュール収納部２５に収納される。そして、レシーバモジュール３６は、レシーバモジュール押さえ１９によって固定され、孔２６近傍に配置される。また、孔２６の正面側には、カバー１７が取り付けられている。カバー１７は、レシーバモジュール３６を防水、防塵するための部材で、例えば、樹脂からなる。
【００３０】
カメラモジュール３７は、ＣＭＯＳ等の撮像素子から構成され、ユーザ等を撮像する。カメラモジュール３７は、図１に示す表示筐体２０の孔１８近傍に配置される。
【００３１】
ヒンジユニット１３は、図６に示すように、ヒンジユニット本体４０と、ヒンジユニット本体４０の＋Ｙ側に取り付けられた回転プレート４１と、を有する。
【００３２】
回転プレート４１は、ヒンジユニット本体４０に対して、Ｙ軸回りに回動可能に取り付けられている。この回転プレート４１には、Ｙ方向に貫通する孔４３が、Ｘ方向に沿って複数形成されている。この孔４３は、例えば、円形に形成されている。また、孔４３の数は、表示筐体２０の下方に埋設されたナット２９の数と等しく、本実施形態では、孔４３は、４つ形成されている。回転プレート４１の中央には、防水性のコネクタ４４が形成されている。このコネクタ４４は、ヒンジユニット１３が表示ユニット１２に接続された場合に、表示筐体２０の凹部２８内に形成されたコネクタ２８ａに接続される。
【００３３】
ヒンジユニット１３は、締結ねじ５０によって、表示ユニット１２に取り付けられている。詳しくは、締結ねじ５０を、回転プレート４１の孔４３及び表示筐体２０のナット２９に、＋Ｙ方向にねじ込むことによって、回転プレート４１は、表示筐体２０に取り付けられる。これにより、図５（Ｂ）に示すように、ヒンジユニット１３と表示ユニット１２とが接続される。また、同時に、ヒンジユニット１３の回転プレート４１に形成されたコネクタ４４と、表示筐体２０の凹部２８に形成されたコネクタ２８ａと、が接続される。なお、ねじ込まれた締結ねじ５０のねじ頭は、凹部２８内に収納される。
【００３４】
ヒンジユニット本体４０の−Ｙ側には、図６に示すように、ヒンジ筒４２が形成されている。このヒンジ筒４２には、Ｘ軸方向に貫通する孔４２ａが形成されている。
【００３５】
また、操作ユニット１１の＋Ｙ側の端部には、一対のヒンジ筒４５が形成されている。このヒンジ筒４５には、Ｘ軸方向に貫通する孔４５ａが形成されている。この孔４５ａと、ヒンジユニット本体４０のヒンジ筒４２に形成された孔４２ａとに、ヒンジ軸が挿入される。このヒンジ軸の挿入により、操作ユニット１１とヒンジユニット１３とが接続される。
【００３６】
ヒンジユニット本体４０の内部には、図示しないケーブルが配置されている。ケーブルには、例えば、防水チューブが被覆された同軸ケーブルや、防水性のフレキシブルケーブル等が用いられる。ケーブルの一端は、回転プレート４１のコネクタ４４に接続されている。そして、ケーブルの他端は、ヒンジ筒４２から引き出され、操作ユニット１１の電子ユニット等に接続されている。
【００３７】
上述の携帯電話機１０は、以下のように組み立てられる。図４を参照するとわかるように、先ず、表示筐体２０の凹部２３に、表示モジュール３２を固定する。同様に、表示筐体２０の凹部２４に、ねじ等によって、回路基板３３を固定する。そして、図示しないフレキシブル配線基板を、表示モジュール３２と回路基板３３とに接続する。これにより、表示モジュール３２と回路基板３３とは、電気的に接続される。
【００３８】
次に、図５（Ａ）を参照するとわかるように、樹脂部２２の庇部２７の下方からモジュール収納部２５内に、レシーバモジュール３６を挿入する。そして、レシーバモジュール３６の下端を、レシーバモジュール押さえ１９によって固定する。同様に、図示しないカメラモジュール３７も、樹脂部２２の庇部２７の下方からモジュール収納部２５内に挿入し、固定する。
【００３９】
次に、図４及び図５を参照するとわかるように、表示筐体２０の樹脂部２２の貼付面２２ａに、両面テープ３１を貼り付ける。そして、この両面テープ３１を介して、フロントパネル３０を貼付面２２ａに固定する。同様に、樹脂部２２の貼付面２２ｂに、両面テープ３４を貼り付ける。そして、この両面テープ３４を介して、フロントパネル３０を貼付面２２ｂに固定する。これにより、表示モジュール３２や回路基板３３等は、表示筐体２０内に水密に保護される。以上により、表示ユニット１２の組み立てが完了する。
【００４０】
次に、図６を参照するとわかるように、締結ねじ５０を、ヒンジユニット１３の回転プレート４１の孔４３を介して、表示筐体２０のナット２９にそれぞれ挿入する。このとき、回転プレート４１を、ヒンジユニット本体４０に対して、Ｙ軸回りに９０°回動させておく。そして、ドライバー等の工具を用いて、締結ねじ５０をねじ込む。これにより、ヒンジユニット１３は、表示ユニット１２に接続される。
【００４１】
次に、ヒンジユニット１３のヒンジユニット本体４０のヒンジ筒４２と、操作ユニット１１のヒンジ筒４５とに、ヒンジ軸を挿入する。これにより、ヒンジユニット１３は、操作ユニット１１に接続される。以上により、携帯電話機１０の組み立てが完了する。
【００４２】
上述のように構成された携帯電話機１０においては、図１に示すような展開した状態から、Ｘ軸回りに表示ユニット１２を回動させて、図７（Ａ）に示すような閉じた状態にすることができる。また、逆に、図７（Ａ）に示すような閉じた状態から、Ｘ軸回りに表示ユニット１２を回動させて、図１に示すような展開した状態にすることができる。さらには、展開した状態時においては、図７（Ｂ）に示すように、Ｙ軸回りに表示ユニット１２を回動させることができる。
【００４３】
以上、説明したように、本実施形態に係る携帯電話機１０によれば、表示ユニット１２のフロントパネル３０及びリアパネル３５が、防水性の素材からなる両面テープ３１，３４を介して、表示筐体２０に固定されている。これにより、簡素な構造のまま、表示ユニット１２の防水性を確保できる。
【００４４】
具体的には、例えば、従来の携帯電話機のように、構成部品の隙間が防水パッキンによって塞がれている場合、防水機能を実現するため、構成部品の寸法に高い精度が求められる。また、この場合、ねじやフック等の部材を用いて、防水パッキンを圧縮する必要がある。
【００４５】
これに対して、本実施形態に係る携帯電話機１０の表示ユニット１２は、フロントパネル３０及びリアパネル３５と表示筐体２０との隙間を、防水パッキンではなく、両面テープ３１，３４で塞いでいる。このため、防水パッキンを備えた従来の携帯電話機ほどの高い精度は、不要となる。また、ねじやフック等の防水パッキンを圧縮する部材も不要となる。これにより、コストを低くできるとともに、歩留まりを良好にすることができる。また、携帯電話機１０の小型化、薄型化に寄与することができる。また、携帯電話機１０の組み立て作業も容易となる。
【００４６】
また、本実施形態に係る携帯電話機１０によれば、表示モジュール３２は、表示筐体２０の金属板２１に直接固定されている。これにより、ユーザが誤って落とすなどして、この携帯電子機器１０に衝撃が加わった場合においても、表示モジュール３２は、表示筐体２０から外れにくい。ひいては、表示筐体２０から外れることによる、表示モジュール３２の破損を防ぐことができる。
【００４７】
また、表示筐体２０は、−Ｚ側に貼付面２２ｂが形成された庇部２７を有しており、この庇部２７の＋Ｚ側にレシーバモジュール３６を収納している。このため、レシーバモジュール３６と固定テープ３４とは、携帯電話機１０の厚み方向（Ｚ方向）に重なって配置される。これにより、携帯電話機１０の小型化、薄型化に寄与することができる。
【００４８】
また、表示筐体２０の樹脂部２２は、金属板２１に形成されている。このため、樹脂部２２の厚みを、樹脂のみで形成された筐体における樹脂の厚みよりも、薄くすることができる。これにより、充填された樹脂の硬化時に発生するひけを防止することができる。
【００４９】
また、金属板２１の正面側（＋Ｚ側）及び背面側（−Ｚ側）の樹脂量がそれぞれ均等となるように、樹脂部２２は、金属板２１上に形成されている。これにより、インサート成形時における樹脂部２２の反りの発生を防止することができる。
【００５０】
また、鉛直方向（＋Ｙ方向）にねじ込まれた締結ねじ５０のねじ頭は、樹脂筐体２０の凹部２８内に収納されている。そのため、携帯電話機１０を図１に示す展開状態とした場合に、締結ねじ５０のねじ頭が、外部に露出せず、携帯電話機１０の美観を損ねることはない。また、ねじ頭を隠すためのカバー部材等を別途用意する必要がない。
【００５１】
また、締結ねじ５０は、鉛直方向（＋Ｙ方向）にねじ込まれている。そのため、厚み方向（Ｚ方向）に締結ねじがねじ込まれた携帯電話機に比べて、両面テープ３１，３４の貼り付け面積を大きく確保することができる。
【００５２】
以上、実施形態について説明したが、本発明は上記各実施形態に限定されるものではない。
【００５３】
例えば、上記実施形態においては、携帯電話機１０は、折り畳み式の携帯電話機であるが、これに限らず、スライド式の携帯電話機、回転２軸ヒンジ式や回転式（リボルバー式）等の携帯電話機であってもよい。
【００５４】
また、上記実施形態においては、表示ユニット１２の表示筐体２０のみが、インサート成形により形成された部材である。しかしながら、これに限らず、操作ユニット１１の操作筐体１１ａについても、表示筐体２０と同様に、インサート成形により形成された部材とすることができる。
【００５５】
また、上記実施形態の表示筐体２０は、インサート成形により形成された部材である。しかしながら、これに限らず、樹脂のみからなる部材であってもよい。
【００５６】
また、上記実施形態のフロントパネル３０及びリアパネル３５は、両面テープ３１，３４を介して、表示筐体２０に固定されている。これに限らず、フロントパネル３０及びリアパネル３５を、接着剤等により、表示筐体２０に固定してもよい。
【００５７】
また、上記実施形態においては、図５（Ｂ）を参照するとわかるように、締結ねじ５０は、両面テープ３１，３４の下端よりも、さらに下方（−Ｙ方向）に配置されている。これに限らず、締結ねじ５０を、両面テープ３１，３４に対して厚み方向（Ｚ方向）に重なるように、配置してもよい。これにより、表示筐体２０のＹ方向の寸法を小さくすることができ、ひいては、携帯電話機１０の小型化に寄与することができる。
【００５８】
本発明は、上記実施形態で説明した携帯電話機に限らず、ＰＤＡ（Personal Digital
Assistant）、ＰＨＳ（Personal Handy-phone System）、携帯型ＰＣ（Mobile Personal Computer）などの携帯通信端末、及びその他の情報処理装置においても適用することができる。
【００５９】
また、本発明は、本発明の広義の精神と範囲を逸脱することなく、様々な実施形態及び変形が可能とされるものである。上述した実施形態は、本発明を説明するためのものであり、本発明の範囲を限定するものではない。
【００６０】
上記の実施形態の一部または全部は、以下の付記のようにも記載されうるが、以下には限られない。
【００６１】
（付記１）第１筐体と、
前記第１筐体上の一の面側に固定され、電子部品を備える電子モジュールと、
防水性の接着部材を介して、前記第１筐体に水密に取り付けられることにより、前記電子モジュールを覆う第１カバーと、
前記第１筐体上の他の面側に固定され、回路基板を含む基板モジュールと、
防水性の接着部材を介して、前記第１筐体に水密に取り付けられることにより、前記基板モジュールを覆う第２カバーと、
を有することを特徴とする携帯電子機器。
【００６２】
（付記２）前記第１筐体の前記一の面には、第１凹部が形成されるとともに、前記第１筐体の前記他の面には、第２凹部が形成され、
前記電子モジュールは、前記第１凹部に収納されるとともに、前記基板モジュールは、前記第２凹部に収納されることを特徴とする付記１に記載の携帯電子機器。
【００６３】
（付記３）前記第１筐体は、金属板と、前記金属板の縁に沿って被覆し、略枠形状に形成された樹脂部と、を有し、
前記第１凹部及び前記第２凹部は、前記樹脂の略枠形状の内周面と、前記金属板の表面と、によって規定され、
前記電子モジュール及び前記基板モジュールは、前記金属板の表面上に固定されることを特徴とする付記２に記載の携帯電子機器。
【００６４】
（付記４）前記金属板の一の面に形成された前記樹脂部の樹脂量は、前記金属板の他の面に形成された樹脂量と同等であることを特徴とする付記３に記載の携帯電子機器。
【００６５】
（付記５）前記第１筐体の一の面には、前記接着部材を貼り付けるための第１貼付面が、前記第１凹部の縁に沿って形成され、
前記第１筐体の他の面には、前記接着部材を貼り付けるための第２貼付面が、前記第２凹部の縁に沿って形成されていることを特徴とする付記３又は４に記載の携帯電子機器。
【００６６】
（付記６）前記電子モジュールは、ユーザに情報を表示するための表示部を有することを特徴とする付記１乃至５のいずれか一つに記載の携帯電子機器。
【００６７】
（付記７）ユーザが情報を入力するための操作部を有する操作モジュールを収納する第２筐体と、
前記第１筐体と前記第２筐体とを回動可能に接続するヒンジユニットと、
前記ヒンジユニットを前記第１筐体に固定する締結ねじと、
をさらに有し、
前記締結ねじのねじ込み方向は、前記第１筐体の厚み方向と直交する方向に、前記第１筐体に対してねじ込むことを特徴とする付記１乃至６のいずれか一つに記載の携帯電子機器。
【００６８】
（付記８）前記第１筐体には、前記第１筐体にねじ込まれた前記締結ねじのねじ頭を収納する凹部が形成されていることを特徴とする付記７に記載の携帯電子機器。
【産業上の利用可能性】
【００６９】
本発明の携帯電子機器は、携帯電話機に用いるのに適している。
【符号の説明】
【００７０】
１０  携帯電話機
１１  操作ユニット
１１ａ  操作筐体（第２筐体）
１２  表示ユニット
１３  ヒンジユニット
１４  操作キー
１５  表示画面
１６  孔
１７  カバー
１８  孔
１９  レシーバモジュール押さえ
２０  表示筐体（第１筐体）
２１  金属板
２２  樹脂部
２２ａ、２２ｂ  貼付面
２３、２４  凹部
２５  モジュール収納部
２６  孔
２７  庇部
２８  凹部
２９  ナット
３０  フロントパネル（第１カバー）
３１、３４  両面テープ（接着手段）
３２  表示モジュール（電子モジュール）
３３  回路基板（回路モジュール）
３５  リアパネル（第２カバー）
３６  レシーバモジュール
３７  カメラモジュール
４０  ヒンジユニット本体
４１  回転プレート
４２、４５  ヒンジ筒
４２ａ、４５ａ  孔
４３  孔
４４  コネクタ
５０  締結ねじ
【図１】
2012095152.tif 000003
【図２】
2012095152.tif 000004
【図３】
2012095152.tif 000005
【図４】
2012095152.tif 000006
【図５】
2012095152.tif 000007
【図６】
2012095152.tif 000008
【図７】
2012095152.tif 000009